(57)【特許請求の範囲】
【請求項１】
構造躯体の上部に構造物を固定するアンカーボルトを該構造躯体に取付けるアンカーボルト構造であって、
前記構造躯体に埋設され、内部に前記アンカーボルトを上下動可能に収納する鞘体と、この鞘体内に設けられた係止部と係合することによって該鞘体を介して前記構造躯体から反力を得て前記アンカーボルトを上端部が該構造躯体の上面から突出した状態で停止させるストッパとから構成されるものであり、
前記鞘体が前記構造躯体上部に埋設される筒状部とこの筒状部の下部開口端に連通させて配設され該筒状部の径より大きい径を有する拡径部とからなり、前記ストッパが前記アンカーボルトの下部側面に突設される鍔部を前記係止部である前記下部開口端に引掛けて係合するように構成されるものであり、
前記筒状部が複数設けられ、且つこれら筒状部が相互に連通していることを特徴とする上下降式アンカーボルト構造。
【発明の詳細な説明】
【０００１】
【発明の属する技術分野】
本発明は、基礎や柱等の構造躯体の上部に構造物を固定するアンカーボルトを、該構造躯体に取付けるアンカーボルト構造に関する。
【０００２】
【従来の技術】
従来、例えばコンクリート製の基礎や柱等の構造躯体の上部に架構体等の構造物を固定する場合に用いられるアンカーボルト構造としては、構造躯体の上面からアンカーボルトの上端部のネジ部を突出させて構造躯体の上部に埋設し、このネジ部を構造物に設けられた取付孔に挿通しナット等を螺合させることによって構造物を構造躯体上に固定するものがある。
【０００３】
【発明が解決しようとする課題】
しかしながら、上述したようなアンカーボルト構造では、構造躯体の上部に構造物を固定する際、この構造物の重量が大きいときには構造物を構造躯体の上面で摺動させて位置決めを行うことが望ましい場合がある。この場合において、上述したように構造躯体上面にアンカーボルトの上端部が突出しているとこれが障害となって構造物を摺動させることができなかった。このため、従来では、構造物をジャッキ等の手段で所定の高さまで持ち上げるなどしてアンカーボルトを回避しつつ位置決めを行わなければならず設備費が嵩むという問題があった。
【０００４】
また、従来のアンカーボルト構造では、上述したように、構造物に設けられた取付孔を構造躯体上面に埋設固定されたアンカーボルトのネジ部に単に挿通させるものであり、構造物や構造躯体の構築の際に生じる誤差の許容量が小さいため取付孔とアンカーボルトとの位置が対応するように、アンカーボルトが構造躯体に精度よく据え付けられていなければならなかった。そのため、構造躯体の構築の際、アンカーボルトの据え付け精度を確保するための作業に多大な労力を要していた。
【０００５】
この発明は、かかる課題を解決すべくなされたもので、構造躯体の上部に構造物を固定する際に、アンカーボルトの上端部が障害となることを防ぎ構造物の固定作業を容易なものとするとともに、その据え付け作業が容易なアンカーボルト構造を提供することを目的とする。
【０００６】
【課題を解決するための手段】
上記目的を達成するため本発明の上下降式アンカーボルト構造は、構造躯体の上部に構造物を固定するアンカーボルトを該構造躯体に取付けるアンカーボルト構造であって、前記構造躯体に埋設され、内部に前記アンカーボルトを上下動可能に収納する鞘体と、この鞘体内に設けられた係止部と係合することによって該鞘体を介して前記構造躯体から反力を得て前記アンカーボルトを上端部が該構造躯体の上面から突出した状態で停止させるストッパとから構成されるものであり、前記鞘体が前記構造躯体上部に埋設される筒状部とこの筒状部の下部開口端に連通させて配設され該筒状部の径より大きい径を有する拡径部とからなり、前記ストッパが前記アンカーボルトの下部側面に突設される鍔部を前記係止部である前記下部開口端に引掛けて係合するように構成されるものであり、前記筒状部が複数設けられ、且つこれら筒状部が相互に連通していることを特徴とする上下降式アンカーボルト構造、である。
【０００７】
この上下降式アンカーボルト構造によれば、構造物を構造躯体の上面で摺動させるときにはアンカーボルトを鞘体内に収納してアンカーボルトが構造物の摺動の障害となることを防止することができる。構造物の位置決めが終了した後には、アンカーボルトを引き上げて上端部を構造躯体の上面から突出させ構造物を固定する。このとき、ストッパを係止部に係合させることによって、アンカーボルトに鞘体を介して構造躯体からの反力を伝達することができるため構造物を強固に構造躯体に固定することができる。
【０００８】
併せて、アンカーボルトを鞘体内で移動させることによって、アンカーボルトの上端部の位置を構造躯体の上面において前後左右に移動させることができるので、構造躯体の構築時に生じる誤差を許容することができる。
【００１０】
また、アンカーボルトの下部側面の鍔部を係止部である筒状部の下部開口端に引掛けて係合するので、容易にアンカーボルトを停止させることができる。また、拡径部によって鞘体の根固めをすることにより構造物を構造躯体に固定した際に作用する鞘体を引き抜こうとする力に抵抗することができる。
【００１１】
また、複数の筒状部が相互に連通しているため、例えば鞘体内にモルタル等の充填材を注入する場合に、一つの筒状部内に充填材を注入することによって複数の筒状部内に充填材を一括して注入することができ、アンカーボルトの固定作業を簡略化することができる。
【００１２】
【発明の実施の形態】
以下、この発明の実施の形態を添付図面を参照して詳細に説明する。図１及び図２はこの実施形態にかかる上下降式アンカーボルト構造１０を示すものであり、図３は屋根を構築する際に上下降式アンカーボルト構造１０を採用した場合の説明図である。
【００１３】
この屋根は、例えばトラス構造をなす長大スパンの構造物であり以下の手順の横引工法によって構築される。すなわち、図３に示すように、先ず、複数連結されることにより屋根を構成する架構体２０を、屋根の構築予定箇所２１の近傍に設置された構台２２上で組立て、屋根の構築予定箇所２１の両側に延設された軌条２３、２３上に送り出し（図３中の一点鎖線）、所定距離スライド移動させる。その後、構台２２上において新たな架構体２０を組立てるとともに、これを先に送り出された架構体２０に連結し、先の架構体２０とともに軌条２３上をスライド移動させる。
【００１４】
先の架構体２０が送り出され次の架構体２０が送り出されるまでには例えば７〜１０日程度の日数がかかり、この間先に送り出された架構体２０は突風対策上等の理由から軌条２３を支持する柱１上に仮固定される。この仮固定は次の架構体２０が連結されて再度送り出される際には解除される。その後すべての架構体２０が送り出されたら、これら架構体２０を支持する支承部２を柱１上に本固定し屋根の構築作業を終了する。
【００１５】
本実施例にかかる上下降式アンカーボルト構造１０は、柱１の上部に架構体２０の支承部２を仮固定及び本固定するアンカーボルト１１を、柱１の上部に取付けるために用いられるもので、図１（ａ）に示すように、柱１内の上部に埋設される鞘体１２と、この鞘体１２内に設けられるストッパ１３とから概略構成される。
【００１６】
前記支承部２は、図２に示すように、架構体２０のボールジョイント部２ａの下部に設けられるもので、ボールジョイント部２ａの下部に配設される台形の板部材を十字に組んで形成されるリブ部２ｂと、このリブ部２ｂの底部に配設されるベースプレート２ｃとから構成されている。このベースプレート２ｃにはアンカーボルト１１が挿通される取付孔２ｄが穿設されている。
【００１７】
柱１は、支承部２を支持するため架構体２０の幅に対応させて所定間隔をおいて配置されるコンクリート製の柱状体である。この柱１の上面には前記ベースプレート２ｃがはめ込まれる溝１ａが設けられている。
【００１８】
アンカーボルト１１は、鋼製のボルト状の部材であり、柱１から反力を得て支承部２を柱１に固定するものである。このアンカーボルト１１は、本実施形態では、図１（ｂ）に示すように、上端部の外周面にはネジ部１１ａが刻設され、上端面にはグリップ１４のネジ部１４ａが螺合される取付孔１１ｂが設けられている。
【００１９】
鞘体１２は、内部に上記アンカーボルト１１を上下動可能に収納するものであり、図１（ａ）に示すように、柱１の上部に埋設される４本の筒状部１５と、この各筒状部１５の下部開口端１５ａに連通して配設される拡径部としての箱体１６とから構成されるものである。
【００２０】
筒状部１５は、アンカーボルト１１の径よりも大きい径を有する筒体であり、柱１内に垂直に埋設され、これの上部開口端１５ｂは前記溝１ａの底面において、ベースプレート２ｃの取付孔２ｄと対応する位置に開口されている。
【００２１】
箱体１６は、柱１の内部に埋設される直方体状のもので、本実施形態では、ベースプレート２ｃの面積とほぼ等しい平面積を有し、その上面には筒状部１５が接続される４つの開口部１６ａが設けられている。そして、この箱体１６を筒状部１５の下部に配設することによって、各鞘体１２はその下部が拡径された形状となるとともに各筒状部１５は箱体１６を介して相互に連通される。
【００２２】
なお、本実施形態では、鞘体１２を構成する拡径部として１つの箱体１６を設けたが本発明はこれに限定されるものではなく、各筒状部１５に各々設けてもよい。また、拡径部の形状を本実施形態では直方体状の箱体としたが、筒状部１５の径を拡径する形状のものであれば種々の形状とすることができる。
【００２３】
前記ストッパ１３は、アンカーボルト１１の上昇を停止させるためのもので、本実施形態では、アンカーボルト１１の下部側面に突設され、係止部である筒状部１５の下部開口端１５ａに係合される鍔部１３ａを備えている。この鍔部１３ａは筒状部１５の下部開口端１５ａの径よりも大きい径を有する環状の部材であり、アンカーボルト１１の下端部外周面に刻設されたネジ部１１ｄに螺合されナット１１ｃで固定される。
【００２４】
そして、この鍔部１３ａはアンカーボルト１１が引き上げられた際には、筒状部１５の下部開口端１５ａに引掛けられてこれと係合し、アンカーボルト１１のネジ部１１ａが柱１の上面から突出した状態で停止させる。すなわち、箱体１２の内部において、筒状部１５の拡径された部分に鍔部１３ａを当接させることによって柱１を構成するコンクリートから反力を得る。この状態でナット３を締め付けることにより、かかる反力はアンカーボルト１１を介して支承部２に伝達され、その結果支承部２は柱１の上面に固定される。このとき、鞘体１２にこれを引き抜くような力が作用しても箱体１６が鞘体１２の根固めの働きをするためこの力に対抗することができる。
【００２５】
なお、本実施形態では、ストッパ１３を、アンカーボルト１１の下部に鍔部を係止部としての筒状部１５の下部開口端１５ａに引掛ける構成としたが、本発明はこれに限定されるものではなく、鞘体を介して柱１から反力を得てアンカーボルト１１の上昇を停止できる構成であれば種々の手段を用いることができる。例えば、鞘体１２を単に筒状に形成しこの内周面に係止部としての突起を設け、この突起にアンカーボルトの鍔部を引掛けて係合する構成とすることもできる。
【００２６】
このような構成の上下降式アンカーボルト構造１０を用いて支承部２を柱１の上部に固定するには、先ず、図２（ａ）に示すように、アンカーボルト１１を鞘体１２の内部に落とし込ませておき、この状態で支承部２を柱１の上面においてスライド移動させる。
【００２７】
次いで、図２（ｂ）に示すように、支承部２のベースプレート２ｃを柱１上面の溝１ａにはめ込み支承部２の位置決めを行う。この支承部２の位置決めが終了した後、グリップ１４をベースプレート２ｃの取付孔２ｄにさし込むとともに、筒状部１５の内部において、前述したようにグリップ１４のネジ部１４ａをアンカーボルト１１の取付孔１１ｂに螺合させる。次いで、グリップ１４を引き上げることによってアンカーボルト１１の上端部をベースプレート２ｃの取付孔２ｄから突出させ、この状態においてアンカーボルト１１の上端部のネジ部１１ａにナット３を螺合させ支承部２を仮固定する。
【００２８】
なお、このアンカーボルト１１のネジ部１１ａを取付孔２ｄから突出させる際、筒状部１５の径はアンカーボルト１１の径よりも大きいため、筒状部１５の上部開口端１５ｂの配設位置とベースプレート２ｃの取付孔２ｄの配設位置との間に誤差が生じたとしても、アンカーボルト１１を筒状部１５内で移動させることによって、アンカーボルト１１のネジ部１１ａの位置を前後左右に移動させることができ、かかる誤差を許容することができる。
【００２９】
さらに、仮固定を解除して支承部２を再度移動させる場合には、ナット３をアンカーボルト１１のネジ部１１ａから取り外すとともに、アンカーボルト１１を鞘体１２内に落とし込ませる。これによりアンカーボルト１１の上端部が支承部２の移動の障害となることがない。
【００３０】
そして、すべての架構体２０の送り出しが終了したら、図２（ｃ）に示すように、支承部２を柱１上に本固定する。すなわち、支承部２を柱１上において位置決めし、アンカーボルト１１を引き上げこれのネジ部１１ａにナット３を螺合させる。この本固定の場合には、ナット３を２つ螺合させ固定を確実なものとする。その後、鞘体１２内にモルタル等の充填材を注入してアンカーボルト１１を固着する。
【００３１】
この充填材の注入は、４本の鞘体１２のうちの一つのアンカーボルト１１の固定を緩めこの鞘体１２を介して行う。このとき、本実施例では、各筒状部１５は箱体１６で相互に連通しているため１つの筒状部１５内に充填材を注入することによって他の筒状部１５内にも一括して注入することができる。
【００３２】
【発明の効果】
以上、詳細に説明したように、請求項１記載の上下降式アンカーボルト構造によれば、構造物を構造躯体の上面で摺動させるときにはアンカーボルトを鞘体内に収納してアンカーボルトが構造物の摺動の障害となることを防止することができる。構造物の位置決めが終了した後には、アンカーボルトを引き上げて上端部を構造躯体の上面から突出させ構造物を固定する。このとき、ストッパを係止部に係合させることによってアンカーボルトは鞘体を介して構造躯体から反力を得ているため構造物を強固に構造躯体に固定することができる。
【００３３】
併せて、アンカーボルトを鞘体内で移動させることによって、アンカーボルトの上端部の位置を構造躯体の上面において前後左右に移動させることができるので、構造躯体の構築時に生じる誤差を許容することができる。その結果、アンカーボルトの据え付け作業が容易となる。
【００３４】
また、鍔部を係止部である筒状部の下部開口端に引掛けて係合させるだけで容易にアンカーボルトを停止させることができる。また、拡径部によって鞘体の根固めをすることにより、鞘体にこれを引き抜こうとする力が作用しても、この力に抵抗することができる。
【００３５】
さらに、複数の筒状部が相互に連通しているため、例えば鞘体内にモルタル等の充填材を注入する場合に、一つの筒状部内に充填材を注入することによって複数の筒状部内に充填材を一括して注入することができアンカーボルトの固定作業を簡略化することができる。
【図面の簡単な説明】
【図１】本発明に係る上下降式アンカーボルト構造の実施形態を示す説明図であり、  （ａ）はその断面図であり、（ｂ）はアンカーボルトの上端部の拡大図である。
【図２】本発明に係る上下降式アンカーボルト構造を用いて柱上に構造物を固定する作業手順を示す説明図である。
【図３】本発明に係る上下降式アンカーボルト構造を採用して屋根を構築する作業手順を示す説明図である。
【符号の説明】
１  柱（構造躯体）
２  支承部（構造物）
１０  上下降式アンカーボルト構造
１１  アンカーボルト
１２  鞘体
１３  ストッパ
１３ａ  鍔部
１５  筒状部
１５ａ  下部開口端（係止部）
１６  箱体（拡径部）
【図１】
0003637654.tif 000002
【図２】
0003637654.tif 000003
【図３】
0003637654.tif 000004